(57)【要約】      （修正有）【課題】製造時において仕切りを安定して折り曲げ得るようにすることにより、仕切りの基端部と本体との接続部分が短いものを容易に得ることができるブランクシートを提供する。【解決手段】ランクシートは、本体から一体的に連続する基端部８ａと、この基端部８ａから延伸する仕切り部８ｂと、この仕切り部８ｂの他端部に位置し本体に接着してなる接着部８ｃとを備えている。そして前記基端部８ａの下端部は、本体０に一体的に連続する接続部８ａ１とし、仕切り部８ｂの基端部には、この接続部８ａ１と、この接続部８ａ１の延長線上かつ隣接する箇所に位置し、箱体を組み立てる際に折り曲げることにより離脱可能なミシン目である補助接続部８ａ２とを位置付けている。【選択図】図２
0003169923.tif 000002
【実用新案登録請求の範囲】
【請求項１】
本体と、本体から一体的に連続する基端部、この基端部分から延伸する仕切り部、及びこの仕切り部の他端部に位置し本体に接着してなる接着部を備えた仕切りとを有するブランクシートであって、
前記基端部が、本体に一体的に連続する接続部と、この接続部に隣接する部位に配してなり折り曲げることにより離脱可能な補助接続部とを備えていることを特徴とするブランクシート。
【請求項２】
前記補助接続部が、前記接続部に隣接する部位に設けたミシン目である請求項１記載のブランクシート。
【請求項３】
前記ミシン目が、本体と切り離された部分であり長さ寸法が６ｍｍの切り離し部分と、本体と接続した部分であり長さ寸法が２ｍｍの接続部分とを交互に有する請求項２記載のブランクシート。
【請求項４】
前記補助接続部の前記接続部に隣接する側と反対側の端部が本体と切り離されている請求項２又は３記載のブランクシート。
【請求項５】
板紙を折り曲げることにより形成したものである請求項１，２、３又は４記載のブランクシート。
【考案の詳細な説明】
【技術分野】
【０００１】
本考案は、複数の物品を内部に収納可能であり仕切りを有する箱体を形成するためのブランクシートに関する。
【背景技術】
【０００２】
従来より、１つの箱体の内部に複数の物品、例えば薬品と注意書き、コンピュータソフトとマニュアル、食品やその食品に用いる調味料等といった、本体とその付属品とを分けて収納するようにすべく、内部に仕切りを設けた箱体が広く採用されている（例えば、特許文献１参照）。ここで、予め設定した折り線に沿って折り曲げることによりこのような箱体を形成するためのブランクシートのうち、このような仕切りを形成するための部分には、従来、以下のような構成が採用されているものがある。
【０００３】
すなわち、従来のブランクシートの仕切りは、箱体の一方の側壁を形成すべき部位から一体的に連続する基端部と、この基端部分から延伸し内部空間を仕切る仕切り部と、この仕切り部の他端部に位置し本体に接着してなる接着部とを備えている。
【０００４】
ここで、従来の構成においては、前記基端部と本体との接続部分の長さ寸法を仕切り部により区画される一方の領域の幅寸法に設定し、且つ薄い説明書等を前記一方の領域に収納すべく一方の領域の幅寸法が短く設定されている場合、他方の領域を有効に利用して仕切り部を位置付けうる反面、前記接続部分は短くなる。
【０００５】
しかして、ブランクシート自体の製造時おいては、この接続部分でシートを屈曲させ、次いで接着部に接着剤を塗布し、接着部を本体に接着する。このとき、接続部分が短いと、この製造時に接続部分で屈曲させる工程の際に仕切りの折り曲げ方向が不安定となる不具合が発生し、接着部が意図せぬ部位に接着されたり、のり等の接着剤が塗布された位置に止着できなくなったりするおそれがある。
【先行技術文献】
【特許文献】
【０００６】
【特許文献１】特開２０１０−２４１４８８号公報
【考案の概要】
【考案が解決しようとする課題】
【０００７】
本考案は以上の点に着目し、製造時において仕切りを安定して折り曲げ得るようにすることにより、仕切りの基端部と本体との接続部分が短いものを容易に得ることを目的とする。
【課題を解決するための手段】
【０００８】
すなわち本考案に係るブランクシートは、本体と、本体から一体的に連続する基端部、この基端部分から延伸する仕切り部、及びこの仕切り部の他端部に位置し本体に接着してなる接着部を備えた仕切りとを有するブランクシートであって、前記基端部が、本体に一体的に連続する接続部と、この接続部に隣接する部位に配してなり折り曲げることにより離脱可能な補助接続部とを備えていることを特徴とする。
【０００９】
このようなものであれば、製造時に仕切りを折り曲げる工程においては、接続部と補助接続部とを合わせた箇所でシートが折り曲げられるので、仕切りの折り曲げ方向を安定させ、接着部が意図せぬ部位に接着される不具合の発生を抑制又は防止することができる。
【００１０】
このような補助接続部を有するブランクシートの一例として、前記補助接続部が、前記接続部に隣接する部位に設けたミシン目であるものが挙げられる。このようなものであれば、ブランクシートを折り曲げて箱体とする際にミシン目を破断して仕切りの接続部のみが本体に連続している構成を容易に実現できる。
【００１１】
このようなミシン目の有効な構成の一例として、本体と切り離された部分であり長さ寸法が６ｍｍの切り離し部分と、本体と接続した部分であり長さ寸法が２ｍｍの接続部分とを交互に有するものが挙げられる。
【００１２】
さらに、補助接続部が前記接続部に隣接する部位に設けたミシン目であるものにおいて、箱体を形成する際に補助接続部を効果的に本体から離脱させることができる構成の一例として、前記補助接続部の前記接続部に隣接する側と反対側の端部が本体と切り離されているものが挙げられる。
【００１３】
そして、このようなブランクシートの好適な態様の一例として、板紙を折り曲げることにより形成したものであるものが挙げられる。
【考案の効果】
【００１４】
本考案によれば、仕切りの基端部と本体との接続部分を短く設定した場合であっても製造時において仕切りを安定して折り曲げることができるようになる。
【図面の簡単な説明】
【００１５】
【図１】本考案の一実施形態に係る展開図。
【図２】同実施形態に係る作用説明図
【図３】同実施形態に係る正面図
【図４】同実施形態に係る要部の説明図。
【考案を実施するための形態】
【００１６】
本考案の一実施形態について、図１〜図４を参照しつつ以下に述べる。
【００１７】
本実施形態に係るブランクシートは、図１に示す板紙であるシートを屈曲させることにより形成してなるものである。後述するが、製造時における折り曲げ工程によって図２に示す形状となり、しかる後に図３に示すような形状となる。
【００１８】
具体的には、このブランクシートは、図１〜図３に示すように、箱体の第１の側壁を構成すべき部位である第１の側壁部１ａ、箱体の第２の側壁を構成すべき部位である第２の側壁部１ｂ、箱体の第３の側壁を構成すべき部位である第３の側壁部１ｃ、箱体の第４の側壁を構成すべき部位である第４の側壁部１ｄ、箱体の底壁を構成すべき部位である４つの底壁要素２ａ、２ｂ、２ｃ、２ｄと、前記第１の側壁部１ａの上端部１ａ３と連続し箱体の蓋体を構成すべき部位である蓋部３、及び前記第３の側壁部１ｃの上端部１ｃ３と連続し前記第３の側壁部１ｃの上部と重なり合う折り返し部７を備えた本体０と、この折り返し部７に一端部が連続している仕切り８とを備えている。
【００１９】
前記第１の側壁部１ａと第２の側壁部１ｂとの間、前記第２の側壁部１ｂと第３の側壁部１ｃとの間、及び前記第３の側壁部１ｃと第４の側壁部１ｄとの間は、それぞれ高さ方向に延伸する折り曲げ線１ｂ１、１ｃ１、１ｄ１を挟んで互いに隣接している。また、第１の側壁部１ａを挟んで第２の側壁部１ｂと反対側には、折り曲げ線１ａ１を挟んで側部のりしろ５を設けている。この側部のりしろ５の一表面に糊などの接着剤を塗布し、第４の側壁部１ｄの第３の側壁部１ｃに向かう側と反対側の端部と重ね合わせることにより、第４の側壁部１ｄと第１の側壁部１ａとを隣接させるようにしている。また、第二の側壁部１ｂ及び第４の側壁部１ｄは、上端部１ｂ３、１ｄ３を介してそれぞれ蓋止め部６を有している。
【００２０】
前記４つの底壁要素２ａ、２ｂ、２ｃ、２ｄとは具体的には、第１の側壁部１ａの下端部１ａ２から一体に延伸する第１の底壁要素２ａと、第２の側壁部１ｂの下端部１ｂ２から一体に延伸する第２の底壁要素２ｂと、第３の側壁部１ｃの下端部１ｃ２から一体に延伸する第３の底壁要素２ｃと、第４の側壁部１ｄの下端部１ｄ２から一体に延伸する第４の底壁要素２ｄである。前記第１の底壁要素２ａの第２の底壁要素２ｂ側には、第２の底壁要素２ｂに接着するための底部のりしろ２ａ１を折り曲げ線２ａ２を介して設けている。また、前記第３の底壁要素２ｃの第４の底壁要素２ｄ側にも、第４の底壁要素２ｄに接着するための底部のりしろ２ｃ１を折り曲げ線２ｃ２を介して設けている。また、前記第１の底壁要素２ａ及び第３の底壁要素２ｃには、互いに係り合うことにより第１〜第４の底壁要素を一体の底壁として機能させるための係止部２ａ３、２ｃ３を設けている。
【００２１】
前記蓋部３は、上端部３ａを介して、蓋体が第３の側壁側に係り止め得る係り止め部４を有している。
【００２２】
前記折り返し部７は、上述したように第３の側壁部１ｃの上端１ｃ３から内方に折り返されてなる。その上端部の幅方向中央部には打ち抜き孔７ａを備えている。また、第３の側壁部１ｃの前記打ち抜き孔７ａに重なり合う部分の外周部にはミシン目１ｃ４を形成していて、第３の側壁部１ｃをこのミシン目１ｃ４に沿って破断することにより、前記打ち抜き孔７ａと連通する指挿入口を形成可能にしている。
【００２３】
しかして、前記仕切り８は、本体から一体的に連続する基端部８ａと、この基端部８ａから延伸する仕切り部８ｂと、この仕切り部８ｂの他端部に位置し本体に接着してなる接着部８ｃとを備えている。
【００２４】
さらに詳述すると、前記基端部８ａの下端部は、本体に一体的に連続する、本考案に係る接続部８ａ１である。加えて、前記仕切り部８ｂの基端部には、前記接続部８ａ１と、この接続部８ａ１の延長線上かつ隣接する箇所に位置し、折り曲げることにより離脱可能な補助接続部８ａ２とを備えている。
【００２５】
具体的に説明すると、補助接続部８ａ２は、前記接続部８ａ１に隣接する部位から連続して延伸させて設けられたミシン目である。そしてこのミシン目は、一例として、本体０と切り離された部分であり長さ寸法が６ｍｍの切り離し部分と、本体と接続した部分であり長さ寸法が２ｍｍの接続部分とを交互に有するものとしている。さらに当該ミシン目は、前記接続部８ａ１に隣接する側と反対側の端部に切り離し部を位置付けることにより、本体０と切り離した状態となっている。さらに、この補助接続部８ａ２と前記接続部８ａ１との境界からは、箱体として形成した際に仕切りの一端を形成する第１仕切り折り曲げ線８ｃ１を設けている。一方、前記仕切り部８ｂの先端部には、箱体として形成した際に仕切りの他端を形成する第２仕切り折り曲げ線８ｃ２を設けている。
【００２６】
前記接着部８ｃは、前記第２仕切り折り曲げ線８ｃ２を挟んで仕切り部８ｂと隣接している。そして、この接着部８ｃは本体の第１の側壁部１ａの内面において予め糊などの接着剤が塗布された所定位置に当接することにより、貼付されてなる。
【００２７】
ここで、図１に示すシートからブランクシートを形成する手順の一例を以下に示す。この手順は、図１に示すシートの裏面を上にした状態で図示しない専用の装置に載置される。
【００２８】
まず、図１において一点鎖線で示されている第３の側壁部１ｃと折り返し部７との境界である上端部１ｃ３を山折りする。続いて、同図において二点鎖線で示されている折り返し部７と仕切り部８との境界を谷折りする。この工程において折り曲げられるのは、接続部８ａ１及び補助接続部８ａ２である。しかる後、図１において一点鎖線で示されている第１〜第４の側壁部１ａ、１ｂ、１ｃ、１ｄと第１〜第４の底壁要素２ａ、２ｂ、２ｃ、２ｄとの境界である下端部１ａ２、１ｂ２、１ｃ２、１ｄ２を山折りし、次いで、同図において二点鎖線で示されている第１及び第３の底壁要素２ａ、２ｃの底部のりしろ２ａ１、２ｃ１の境界である折り曲げ線２ａ２、２ｃ２を谷折りする。このようにして、シートは図２に示すような形状となる。
【００２９】
なお、これらの山折り、谷折りによりシートを屈曲させる工程は、上述した装置内を移動しているシートに対し山折りする部分を起立させるとともに、山折りするによって起立させた部分が装置の一部に当接させることにより谷折りが行なわれる。これにより、山折り及び谷折りの工程は略同時に行なわれる。
【００３０】
続いて、図１及び図２において一点鎖線で示されている第１の側壁部１ａと第２の側壁部１ｂとの境界である折り曲げ線１ｂ１、及び第３の側壁部１ｃと第４の側壁部１ｄとの境界である折り曲げ線１ｄ１を山折りして上方から圧力を加えると、仕切り８の接着部８ｃと第１の側壁部１ａとの間、側部のりしろ５と第４の側壁部１ｄとの間、第１の底壁要素２ａの底部のりしろ２ａ１と第２の底壁要素２ｂとの間、第３の側壁部１ｃと折り返し部７との間、及び第３の底壁要素２ｃの底部のりしろ２ｃ１と第４の底壁要素２ｄとの間が接着剤により接着され、図３に示すようなブランクシートが完成する。
【００３１】
そして完成したブランクシートに対しては、これまで折り曲げられなかった折り曲げ線１ａ１、１ｃ１をそれぞれ山折りすることにより、ブランクシートを箱体とする。その際には、図４に示すように仕切り部８ｂが起立していくが図４に示すように、補助接続部８ａ２が本体０から離脱することにより、仕切り部８ｂは接続部８ａ１を介してのみ本体０と接続するようになる。このときは勿論、他端側において接着部８ｃが第１の側壁部１ａに固定されているので、仕切り部８ｂは箱体内に安定して位置決めされた状態となる。
【００３２】
以上のような構成とすることにより、本実施形態に係るブランクシートは、仕切り８により仕切る一方の領域の幅寸法を狭く設定しても、仕切り８を折り曲げて屈曲させる工程においては、接続部８ａ１と補助接続部８ａ２とを合わせた箇所でシートが折り曲げられる。その結果、仕切り８の折り曲げ方向を安定させ、接着部８ｃが意図せぬ部位に接着される不具合の発生を抑制又は防止し得るものとなっている。
【００３３】
また本実施形態では、前記補助接続部８ａ２を、接続部８ａ１に隣接する部位に設けたミシン目とすることにより、ブランクシートを折り曲げて箱体とする際にミシン目を破断して仕切りの接続部８ａ１のみが本体０に連続している構成を容易に実現するとともに、箱体とする際に容易に補助接続部８ａ２を本体に対して離間させ得るものとなっている。
【００３４】
このようなミシン目の有効な構成の一例として、本体０と切り離された部分であり長さ寸法が６ｍｍの切り離し部分と、本体０と接続した部分であり長さ寸法が２ｍｍの接続部分とを交互に有するようにすることにより、板紙でも容易に破断し得るものとなっている。
【００３５】
さらに、補助接続部８ａ２が前記接続部８ａ１に隣接する部位に設けたミシン目であるものにおいて、箱体を形成する際に補助接続部８ａ２を効果的に本体０から離脱させることができるようにすべく本実施形態では、前記補助接続部８ａ２の前記接続部８ａ１に隣接する側と反対側の端部が本体０と切り離されている形状を適用している。
【００３６】
以上、本考案の実施形態について説明したが、各部の具体的な構成は、上述した実施形態のみに限定されるものではなく、本考案の趣旨を逸脱しない範囲で種々変形が可能である。
【００３７】
例えば、上記実施形態では単一の仕切りを有する態様を開示したが、勿論、仕切り複数有するものであってもよい。またブランクシートの素材や形状の具体的な態様は上記実施形態のものに限定されることはなく、既存のものを含め、種々の態様のものを適用することができる。
【００３８】
その他、各部の具体的構成についても上記実施形態に限られるものではなく、本考案の趣旨を逸脱しない範囲で種々変形が可能である。
【産業上の利用可能性】
【００３９】
本考案は、複数の物品を内部に収納可能であり仕切りを有する箱体を形成するためのブランクシートとして利用することができる。
【符号の説明】
【００４０】
０…本体
８…仕切り
８ａ…基端部
８ａ１…接続部
８ａ２…補助接続部
８ｂ…仕切り部
８ｃ…接着部
【図１】
0003169923.tif 000003
【図２】
0003169923.tif 000004
【図３】
0003169923.tif 000005
【図４】
0003169923.tif 000006